(57)【要約】【課題】扉操作用凹部からの液体の浸入を規制すること。【解決手段】サブパネル３０ａと平行な回動軸７２を固定端とし、自由端が回動軸７２より鉛直方向上側となる範囲で少なくとも回動し、メディアスロット６２を開閉する開閉体７１と、開閉体７１の自由端に配置された庇部７３とを有する開閉扉７と、サブパネル３０ａにおけるメディアスロット６２の鉛直方向上側に配置され、サブパネル３０ａに凹状に形成され、開閉体７１を閉じた状態で上部を露出させる扉操作用凹部６３と、サブパネル３０ａにおける扉操作用凹部６３の鉛直方向下側、かつ、メディアスロット６２の鉛直方向上側に配置され、サブパネル３０ａに凸状に形成されたリブ６４と、リブ６４に凹状に形成された区画室６５とを備え、区画室６５は、扉操作用凹部６３と連接され、庇部７３は、開閉体７１を閉じた状態で、少なくとも一部が区画室６５に収容される。【選択図】図３
2018018974.tif 000002
【特許請求の範囲】
【請求項１】
電子機器の操作面に配置され、対象物が挿入される開口の電子機器用止水構造であって、
前記操作面と平行な平面に配置された回動軸と、前記回動軸を固定端とし、自由端が前記回動軸よりも鉛直方向上側となる範囲で少なくとも回動し、前記開口を開閉する開閉体と、前記開閉体の自由端に配置され、前記開閉体を閉じた状態で前記開口に向かって突出した庇部とを有する開閉扉と、
前記操作面における前記開口の鉛直方向上側に配置され、前記操作面に対して凹状に形成され、前記開閉体を閉じた状態で前記開閉体の上部を露出させる扉操作用凹部と、
前記操作面における前記扉操作用凹部の鉛直方向下側、かつ、前記開口の鉛直方向上側に配置され、前記開口に対して凸状に形成された突出部と、
前記突出部に凹状に形成された区画室と、を備え、
前記区画室は、前記扉操作用凹部と連接され、
前記庇部は、前記開閉体を閉じた状態で、少なくとも一部が前記区画室に収容されることを特徴とする電子機器用止水構造。
【請求項２】
前記庇部は、前記開閉体が閉じた状態で、前記区画室に収容される係合突部、を有し、
前記係合突部は、前記開閉体が閉じた状態の鉛直方向視で、前記突出部および前記開口と重なって位置している請求項１に記載の電子機器用止水構造。
【請求項３】
前記扉操作用凹部は、鉛直方向視において、前記開口の少なくとも一部と重なって位置する請求項２に記載の電子機器用止水構造。
【請求項４】
前記対象物は、記憶媒体であることを特徴とする請求項１から３のいずれか一項に記載の電子機器用止水構造。
【請求項５】
請求項１から４のいずれか一項に記載の電子機器用止水構造と、
前記操作面を有する筐体とを備えることを特徴とする電子機器用読取ユニット。
【請求項６】
請求項５に記載の電子機器用読取ユニットと、
前記操作面に対して開閉する表示ユニットとを備えることを特徴とする電子機器。
【発明の詳細な説明】
【技術分野】
【０００１】
本発明は、電子機器用止水構造、電子機器用読取ユニットおよび電子機器に関する。
【背景技術】
【０００２】
カードの読み取り装置において、装置内部への液体の浸入を防止する技術が知られている（例えば、特許文献１）。特許文献１に記載の技術では、装置筐体に設けられたカード挿入用のスリットの上端部を、下端部に対して前に迫り出したように形成している。また、カード挿入口からの異物の浸入を防止する技術が知られている（例えば、特許文献２）。特許文献２に記載の技術は、カード挿入口を開閉する、断面略Ｌ字状で、上側両端部に、装置本体の溝部に嵌合する爪部が配置されたカードカバーを有する。
【先行技術文献】
【特許文献】
【０００３】
【特許文献１】特開平１１−０８５９３２号公報
【特許文献２】特開平１０−０８３４３５号公報
【発明の概要】
【発明が解決しようとする課題】
【０００４】
車両に搭載される車両用の電子機器は、本体部の前面に、地図データや使用者の音楽、画像データなどを記憶した記憶媒体を挿入したり取り外したりする開口（メディアスロット）が形成されている。開口には、塵埃の浸入を防ぐため、開閉扉が配置されている。開口を閉じた状態の開閉扉の操作性を向上させるため、開口の鉛直方向上側で、ユーザの指が触れる位置に、扉操作用凹部が形成されている。
【０００５】
しかしながら、誤って液体が電子機器に滴下されてしまった場合、扉操作用凹部を介して開口から電気機器の内部に液体が浸入してしまうおそれがある。
【０００６】
本発明は、上記に鑑みてなされたものであって、扉操作用凹部からの液体の浸入を規制する電子機器用止水構造、電子機器用読取ユニットおよび電子機器を提供することを目的とする。
【課題を解決するための手段】
【０００７】
上述した課題を解決し、目的を達成するために、本発明に係る電子機器用止水構造は、電子機器の操作面に配置され、対象物が挿入される開口の電子機器用止水構造であって、前記操作面と平行な平面に配置された回動軸と、前記回動軸を固定端とし、自由端が前記回動軸よりも鉛直方向上側となる範囲で少なくとも回動し、前記開口を開閉する開閉体と、前記開閉体の自由端に配置され、前記開閉体を閉じた状態で前記開口に向かって突出した庇部とを有する開閉扉と、前記操作面における前記開口の鉛直方向上側に配置され、前記操作面に対して凹状に形成され、前記開閉体を閉じた状態で前記開閉体の上部を露出させる扉操作用凹部と、前記操作面における前記扉操作用凹部の鉛直方向下側、かつ、前記開口の鉛直方向上側に配置され、前記開口に対して凸状に形成された突出部と、前記突出部に凹状に形成された区画室と、を備え、前記区画室は、前記扉操作用凹部と連接され、前記庇部は、前記開閉体を閉じた状態で、少なくとも一部が前記区画室に収容されることを特徴とする。
【０００８】
上述した課題を解決し、目的を達成するために、本発明に係る電子機器用読取ユニットは、上記の電子機器用止水構造と、前記操作面を有する筐体とを備えることを特徴とする。
【０００９】
上述した課題を解決し、目的を達成するために、本発明に係る電子機器は、上記の電子機器用読取ユニットと、前記操作面に対して開閉する表示ユニットとを備えることを特徴とする。
【発明の効果】
【００１０】
本発明によれば、扉操作用凹部からの液体の浸入を規制することができるという効果を奏する。
【図面の簡単な説明】
【００１１】
【図１】図１は、実施形態に係る電子機器用止水構造を有する電子機器を示す斜視図である。
【図２】図２は、実施形態に係る電子機器用止水構造を有する電子機器を示す斜視図である。
【図３】図３は、実施形態に係る電子機器用止水構造を示す部分断面図である。
【図４】図４は、実施形態に係る電子機器用止水構造の読取部を示す斜視図である。
【図５】図５は、実施形態に係る電子機器用止水構造の開閉扉を示す斜視図である。
【図６】図６は、実施形態に係る電子機器用止水構造を説明する部分拡大断面図である。
【図７】図７は、実施形態に係る電子機器用止水構造を説明する部分拡大断面図である。
【図８】図８は、従来の電子機器の読取部と開閉扉とを示す斜視図である。
【図９】図９は、従来の電子機器の読取部と開閉扉とを説明する部分断面図である。
【図１０】図１０は、従来の電子機器の読取部と開閉扉とを説明する部分拡大断面図である。
【発明を実施するための形態】
【００１２】
以下に添付図面を参照して、本発明に係る止水構造（電子機器用止水構造）５を備えた電子機器１の実施形態を詳細に説明する。なお、以下の実施形態により本発明が限定されるものではない。
【００１３】
以下の説明においては、電子機器１を車両の車室の前方に搭載した状態で各方向を定義する。前後方向とは、車両直進時の進行方向と平行な方向であり、乗員席側に向かう方向を前後方向の「前」、前方ウインドシールド側に向かう方向を前後方向の「後」とする。前後方向を、Ｘ軸方向とする。左右方向とは、前後方向に対して水平に直交する方向である。乗員席側から見て、左手側が「左」、右手側が「右」である。左右方向を、Ｙ軸方向とする。上下方向（鉛直方向）とは、前後方向および左右方向に対して直交する方向である。上下方向を、Ｚ軸方向とする。したがって、前後方向、左右方向および鉛直方向は、３次元で直交する。
【００１４】
図１は、実施形態に係る電子機器用止水構造を有する電子機器を示す斜視図である。図２は、実施形態に係る電子機器用止水構造を有する電子機器を示す斜視図である。図３は、実施形態に係る電子機器用止水構造を示す部分断面図である。図４は、実施形態に係る電子機器用止水構造の読取部を示す斜視図である。図５は、実施形態に係る電子機器用止水構造の開閉扉を示す斜視図である。電子機器１は、例えば、ＡＶ一体型のカーナビゲーションシステムまたはカーオーディオなどである。電子機器１は、表示ユニット２と、読取ユニット（電子機器用読取ユニット）３とを備える。
【００１５】
図１、図２を用いて、表示ユニット２について説明する。表示ユニット２は、読取ユニット３のサブパネル（操作面）３０ａに沿ってスライドし開閉する。言い換えると、表示ユニット２は、読取ユニット３の筐体３０に対してチルト動作し開閉する。より詳しくは、表示ユニット２は、筐体３０のサブパネル３０ａと平行な方向に沿って起立しているとき、閉じた状態である。表示ユニット２が閉じた状態のとき、サブパネル３０ａは表示ユニット２で覆われている。表示ユニット２は、サブパネル３０ａに対して傾いているとき、開いた状態である。表示ユニット２が開いた状態のとき、サブパネル３０ａは露出している。本実施形態では、表示ユニット２は、下側が筐体３０から遠ざかりながら、上側がサブパネル３０ａに沿って下側にスライドすることで、筐体３０に対して開いた状態となる。表示ユニット２は、下側が筐体３０に近づきながら、上側がサブパネル３０ａに沿って上側にスライドすることで筐体３０に対して閉じた状態となる。
【００１６】
表示ユニット２は、ディスプレイパネル２１の外周を覆う箱形の筐体２０と、筐体２０の乗員席に面した正面に配置されたディスプレイパネル２１と、筐体２０の正面と反対側の背面２０ｂの下側に配置された図示しない回動軸と、筐体２０の背面２０ｂの上側に配置された図示しないガイドローラと、ディスプレイパネル２１の側方に配置された操作部２２とを有する。
【００１７】
ディスプレイパネル２１は、例えば、液晶ディスプレイ（ＬＣＤ：Ｌｉｑｕｉｄ  Ｃｒｙｓｔａｌ  Ｄｉｓｐｌａｙ）または有機ＥＬ（Ｏｒｇａｎｉｃ  Ｅｌｅｃｔｒｏ−Ｌｕｍｉｎｅｓｃｅｎｃｅ）ディスプレイを含むディスプレイである。ディスプレイパネル２１は、読取ユニット３から出力された映像信号に基づいて、映像を表示する。ディスプレイパネル２１は、正面が乗員席と向かい合って配置されている。ディスプレイパネル２１は、表面にタッチパネルが配置されている。ディスプレイパネル２１は、表示された操作画面を介して操作を検出し、読取ユニット３に出力する。本実施形態では、ディスプレイパネル２１は、前後方向と直交する平面に配置されている。
【００１８】
回動軸は、スライド機構４のスライド軸４１に回動自在に連結されている。回動軸は、左右方向に沿って配置されている。
【００１９】
ガイドローラは、読取ユニット３の筐体３０に形成された図示しないガイド溝と係合している。言い換えると、ガイドローラは、ガイド溝に沿ってスライドする。
【００２０】
操作部２２は、電子機器１に対する操作を入力する複数のボタンを含む。操作部２２は、各ボタンに対する操作を検出し読取ユニット３に出力する。操作部２２は、ディスプレイパネル２１に表示された操作画面に画像として表示させるタッチパネルとしてもよい。
【００２１】
図２を用いて、読取ユニット３について説明する。読取ユニット３は、記憶媒体（挿入物）から情報を読み取る。読取ユニット３は、記憶媒体から読み取った情報と、ディスプレイパネル２１で検出された操作情報とに基づいて、電子機器１の各部に制御信号を出力する。読取ユニット３は、筐体３０と、筐体３０に配置されたスライド機構４と、読取部６と開閉扉７とを含む止水構造５と、図示しない制御部とを有する。
【００２２】
筐体３０は、直方体状の箱状に形成されている。筐体３０は、表示ユニット２と向かい合う面にサブパネル３０ａを有する。
【００２３】
図３を用いて、サブパネル３０ａについて説明する。サブパネル３０ａは、前後方向と直交する平面に対して傾斜を有する平面に配置されている。より詳しくは、サブパネル３０ａは、前方から後方に向かうにつれて下側から上側に傾斜している。本実施形態では、サブパネル３０ａは、前後方向と直交する平面に対して、例えば、１０〜３０°の傾斜角θを有する平面に配置されている。このようにサブパネル３０ａが傾斜しているので、表示ユニット２の筐体２０の背面２０ｂ側と読取ユニット３の筐体３０のサブパネル３０ａとの隙間Ｓ１の上端Ｓ１ａが、鉛直方向上側に向かって開口した状態となっている。このため、例えば、誤って電子機器１に滴下されてしまった飲料などの液体Ｒが、隙間Ｓ１の上端Ｓ１ａから、隙間Ｓ１に浸入してしまうおそれがある。なお、隙間Ｓ１の幅、言い換えると、表示ユニット２の筐体２０の背面２０ｂ側と読取ユニット３の筐体３０のサブパネル３０ａとの間の距離は、数ｍｍである。
【００２４】
ガイド溝は、筐体３０の前側の側面内周３０ｂ（図２参照）に形成されている。
【００２５】
図２に戻って、スライド機構４について説明する。スライド機構４は、筐体３０に対して前後方向に進退する。スライド機構４は、スライド軸４１と、図示しないモータとを有する。スライド軸４１は、モータで駆動され、一端側が筐体３０のサブパネル３０ａより前方に進出したり、筐体３０の内部に後退したりする。スライド軸４１は、他端部がモータと接続されている。スライド軸４１は、一端部が表示ユニット２の回動軸と接続されている。
【００２６】
このように構成されたスライド機構４は、スライド軸４１で、表示ユニット２の回動軸を前方に押し出す。このとき、表示ユニット２のガイドローラは、ガイド溝に沿って下側にスライドされる。このようなスライド機構４の動作で、表示ユニット２の下側が筐体３０から遠ざかりながら、表示ユニット２の上側が筐体３０の下側にスライドされる。スライド機構４は、スライド軸４１で、表示ユニット２の回動軸を後方に引き戻す。このとき、表示ユニット２のガイドローラは、ガイド溝に沿って上側にスライドされる。このようなスライド機構４の動作で、表示ユニット２の下側が筐体３０に近づきながら、表示ユニット２の上側が筐体３０の上側にスライドされる。
【００２７】
止水構造５は、読取ユニット３を止水する構造である。より詳しくは、止水構造５は、電子機器１の読取ユニット３の筐体３０のサブパネル３０ａに配置され、記憶媒体を挿入する読取部６のメディアスロット（開口）６２を止水する構造である。止水構造５は、読取部６と開閉扉７とを含む。
【００２８】
図２ないし図４を用いて、読取部６について説明する。読取部６は、メディアスロット６２に挿入された記憶媒体を読み取る。読取部６は、メディアスロット６２に挿入された記憶媒体から読み取った情報を読取ユニット３に出力する。読取部６は、サブパネル３０ａに配置されている。読取部６は、サブパネル３０ａより後方に凹状に形成された凹部６１と、凹部６１に配置されたメディアスロット６２と、扉操作用凹部６３と、リブ６４と、区画室６５とを有する。
【００２９】
凹部６１は、平面視で矩形状に形成されている。本実施形態では、凹部６１は、サブパネル３０ａより数ｍｍ後方に凹んでいる。凹部６１の乗員席と向かい合う面は、壁面６１ａである。壁面６１ａは、サブパネル３０ａと平行な平面に配置されている。
【００３０】
メディアスロット６２は、記憶媒体が挿入される。メディアスロット６２は、壁面６１ａに配置されている。本実施形態では、メディアスロット６２は、壁面６１ａの左右方向の中央部に配置されている。メディアスロット６２は、壁面６１ａより後方に凹状に形成されている。メディアスロット６２は、扉操作用凹部６３の鉛直方向下側に位置している。言い換えると、鉛直方向視で、メディアスロット６２は、扉操作用凹部６３の少なくとも一部と重なって位置している。メディアスロット６２は、読取ユニット３の筐体３０の内部に、図示しない電子部品が配置されている。電子部品は、読取ユニット３の筐体３０の内部において、図示しない基板と電気的に接続されている。
【００３１】
扉操作用凹部６３は、開閉扉７の開閉操作の操作性を向上させるために形成された凹みである。扉操作用凹部６３は、サブパネル３０ａより後方に凹状に形成されている。扉操作用凹部６３は、平面視で、外周縁が上側に膨らんだ円弧状に形成されている。扉操作用凹部６３は、凹部６１の上端から上側に形成されている。言い換えると、扉操作用凹部６３は、凹部６１の上端と連接されている。本実施形態では、扉操作用凹部６３は、凹部６１の上端の左右方向の中央部と連接されている。扉操作用凹部６３は、メディアスロット６２の鉛直方向上側に配置されている。言い換えると、鉛直方向視で、扉操作用凹部６３は、メディアスロット６２の少なくとも一部と重なって位置している。扉操作用凹部６３は、開閉体７１が閉じた状態で、開閉体７１の上部を露出させる。
【００３２】
リブ（突出部）６４は、凹部６１の上側に配置されている。リブ６４は、扉操作用凹部６３の鉛直方向下側に配置されている。リブ６４は、メディアスロット６２の鉛直方向上側に配置されている。言い換えると、鉛直方向視で、リブ６４は、扉操作用凹部６３とメディアスロット６２と重なって位置している。リブ６４は、壁面６１ａの左右方向に沿って配置されている。リブ６４は、壁面６１ａより前方に突出して壁面６１ａと一体に形成されている。リブ６４は、サブパネル３０ａより後方に位置している。本実施形態では、リブ６４は、凹部６１の左右方向の中央部に形成されている。
【００３３】
右リブ６４Ｒは、リブ６４の区画室６５より右側部である。鉛直方向視で、右リブ６４Ｒは、メディアスロット６２と重なって位置していない。本実施形態では、右リブ６４Ｒは、メディアスロット６２の右上部に配置されている。
【００３４】
左リブ６４Ｌは、リブ６４の区画室６５より左側部である。鉛直方向視で、左リブ６４Ｌは、メディアスロット６２と重なって位置していない。本実施形態では、左リブ６４Ｌは、メディアスロット６２の左上部に配置されている。
【００３５】
区画室６５は、リブ６４を凹状に凹ませ形成されている。区画室６５は、扉操作用凹部６３の下端に連接している。区画室６５は、メディアスロット６２の鉛直方向上側に配置されている。言い換えると、鉛直方向視で、区画室６５は、メディアスロット６２と重なって位置している。本実施形態では、区画室６５は、リブ６４の左右方向の中央部に形成されている。区画室６５は、メディアスロット６２の左右方向の幅と同じか、メディアスロット６２の左右方向の幅より大きく形成されている。区画室６５は、リブ６４によって、凹部６１と区画されている。
【００３６】
図２、図３、図５、図６を用いて、開閉扉７について説明する。開閉扉７は、開閉することで、読取部６を開放したり、覆ったりする。開閉扉７は、筐体３０に配置される。開閉扉７は、開閉体７１と、開閉体７１の下側に配置され、左右方向に沿って配置された回動軸７２と、開閉体７１の上端に配置され、左右方向に沿って配置された庇部７３とを有する。
【００３７】
開閉体７１は、回動軸７２を固定端とし、自由端が回動軸７２よりも鉛直方向上側となる範囲で少なくとも回動し、読取部６を開閉する。開閉体７１は、上側が筐体３０に対して近づいたり離れたりして読取部６の凹部６１を開閉する。開閉体７１が開いた状態では、凹部６１が解放され、メディアスロット６２が露出する。開閉体７１が閉じた状態では、凹部６１が閉じられ、メディアスロット６２が覆われる。開閉体７１が閉じた状態では、開閉体７１の乗員席と向かい合う表面７１ａと、サブパネル３０ａとは同一平面に位置付けられる。言い換えると、開閉体７１が閉じた状態では、開閉体７１が凹部６１に収容される。開閉体７１が開いた状態では、上側がサブパネル３０ａより前方に傾斜している。
【００３８】
図６に示すように、開閉体７１が閉じた状態で、開閉体７１は、サブパネル３０ａと同様に、前後方向と直交する平面に対して、例えば、１５°〜３０°の傾斜を有する平面に配置されている。図６は、実施形態に係る電子機器用止水構造を説明する部分拡大断面図である。このように開閉体７１が閉じた状態で、開閉体７１およびサブパネル３０ａが傾斜しているので、開閉体７１の上端とサブパネル３０ａとの隙間Ｓ２の上端Ｓ２ａが、鉛直方向上側に向かって開口し、扉操作用凹部６３と連通している。隙間Ｓ２は、隙間Ｓ１と連通している。隙間Ｓ２は、断面積の小さい毛細管状となっている。
【００３９】
開閉体７１は、例えば、ネジリコイルバネや板バネを含む付勢手段で閉じる方向に付勢されている。本実施形態では、ネジリコイルバネの一端が筐体３０に固定され、他端が開閉体７１に固定されている。
【００４０】
庇部７３は、開閉体７１の上端に配置されている。庇部７３は、表面７１ａと反対側の裏面７１ｂから突出した庇状に形成されている。庇部７３は、開閉体７１が閉じた状態で、裏面７１ｂより後方に突出している。庇部７３は、係合突部７３ａと、右側部７３ｂと、左側部７３ｃとを有する。
【００４１】
係合突部７３ａは、庇部７３の左右方向の中央に形成されている。係合突部７３ａは、右側部７３ｂおよび左側部７３ｃよりも、高さ方向に低い位置に形成されている。係合突部７３ａは、開閉体７１が閉じた状態で、右側部７３ｂおよび左側部７３ｃより後方に突出している。係合突部７３ａは、開閉体７１が閉じた状態で、区画室６５に収容される。より詳しくは、開閉体７１が閉じた状態で、係合突部７３ａとリブ６４とは入れ子状態となっている。言い換えると、開閉体７１が閉じた状態で、係合突部７３ａの先端は、リブ６４の先端よりも後方に位置している。開閉体７１が閉じた状態の鉛直方向視で、係合突部７３ａは、リブ６４と重なって位置している。また、開閉体７１が閉じた状態の鉛直方向視で、係合突部７３ａは、メディアスロット６２と重なって位置している。
【００４２】
右側部７３ｂは、庇部７３の右側に配置されている。右側部７３ｂは、係合突部７３ａよりも、高さ方向に高く形成されている。右側部７３ｂは、開閉体７１が閉じた状態で、後方への突出が係合突部７３ａより小さい。図７に示すように、右側部７３ｂは、開閉体７１が閉じた状態で、読取部６の右リブ６４Ｒの前面６４Ｒａに当接する。図７は、実施形態に係る電子機器用止水構造を説明する部分拡大断面図である。開閉体７１が閉じた状態の鉛直方向視で、右側部７３ｂは、メディアスロット６２と重なって位置していない。
【００４３】
左側部７３ｃは、庇部７３の左側に配置されている。左側部７３ｃは、係合突部７３ａよりも、高さ方向に高く形成されている。左側部７３ｃは、開閉体７１が閉じた状態で、後方への突出が係合突部７３ａより小さい。左側部７３ｃは、開閉体７１が閉じた状態で、読取部６の左リブ６４Ｌの前面６４Ｌａに当接する。開閉体７１が閉じた状態の鉛直方向視で、左側部７３ｃは、メディアスロット６２と重なって位置していない。
【００４４】
次に、このように構成された電子機器１の作用について説明する。
【００４５】
まず、電子機器１の開閉動作について説明する。
【００４６】
読取ユニット３は、表示ユニット２を開動作させる操作が検出された検出信号が入力されると、スライド機構４で、表示ユニット２を開動作させる。より詳しくは、図２に示すように、表示ユニット２の回動軸は、スライド機構４のスライド軸４１で前方に押し出される。このとき、表示ユニット２は、ガイドローラがガイド溝に沿って下側にスライドされる。これにより、表示ユニット２は、下側が筐体３０から遠ざかりながら、上側が筐体３０の下側にスライドされ、筐体３０に対して開いた状態とされ、サブパネル３０ａが露出される。このようにして、電子機器１が開動作される。
【００４７】
読取ユニット３は、表示ユニット２を閉動作させる操作が検出された検出信号が入力されると、スライド機構４で、表示ユニット２を閉動作させる。より詳しくは、スライド機構４のスライド軸４１で、表示ユニット２の回動軸が後方に引き戻される。このとき、表示ユニット２のガイドローラがガイド溝に沿って上側にスライドされる。これにより、表示ユニット２の下側が筐体３０から近づきながら、表示ユニット２の上側が筐体３０の上側にスライドされ、表示ユニット２が筐体３０に対して閉じた状態とされ、サブパネル３０ａが覆われる。このようにして、電子機器１が閉動作される。
【００４８】
開閉扉７は、電子機器１が開動作した状態、言い換えると、表示ユニット２が筐体３０に対して開き、サブパネル３０ａが露出した状態で、開閉される。
【００４９】
ユーザは、サブパネル３０ａに配置された読取部６の扉操作用凹部６３に指を差し込む。そして、ユーザは、開閉扉７の上側を手前側に引き倒す。開閉体７１は、回動軸７２を中心に回動し読取部６のメディアスロット６２を開放する。このようにして、開閉扉７が開かれ、読取部６のメディアスロット６２が露出される。
【００５０】
そして、ユーザは、記憶媒体を、読取部６のメディアスロット６２に挿入したり、メディアスロット６２から取り外したりする。
【００５１】
そして、ユーザは、開閉扉７の開閉体７１の上側を読取部６側に押し上げる。開閉体７１は、回動軸７２を中心に回動し読取部６のメディアスロット６２を覆う。このようにして、開閉扉７が閉じられ、読取部６のメディアスロット６２が覆われる。なお、開閉体７１は、ある程度まで閉じると、ネジリコイルバネで付勢され閉じられる。
【００５２】
このように開閉扉７が閉じられた状態では、庇部７３の係合突部７３ａが、区画室６５に収容されている。言い換えると、庇部７３の係合突部７３ａは、区画室６５の上端より鉛直方向下側、かつ、リブ６４より鉛直方向上側に配置されている。庇部７３の右側部７３ｂは、読取部６の右リブ６４Ｒの前面６４Ｒａに当接している。庇部７３の左側部７３ｃは、読取部６の左リブ６４Ｌの前面６４Ｌａに当接している。
【００５３】
つづいて、例えば、飲料などの少量の液体Ｒが、誤って電子機器１に滴下されてしまった場合における、電子機器１の止水構造５の作用について説明する。なお、電子機器１は、表示ユニット２が閉じられた閉状態である。
【００５４】
図３に示すように、サブパネル３０ａが傾斜しているので、隙間Ｓ１の上端Ｓ１ａは、鉛直方向上側に向かって開口した状態となっている。また、表示ユニット２の筐体２０の上面２０ａは、前方から後方に向かって鉛直方向上側から鉛直方向下側に傾斜している。言い換えると、表示ユニット２の筐体２０の上面２０ａは、サブパネル３０ａに向かって鉛直方向上側から鉛直方向下側に傾斜している。このため、誤って電子機器１に滴下された液体Ｒは、表示ユニット２の筐体２０の上面２０ａまたは読取ユニット３の筐体３０に沿って、隙間Ｓ１の上端Ｓ１ａから、隙間Ｓ１に浸入しやすい。
【００５５】
隙間Ｓ１に浸入した液体Ｒは、隙間Ｓ１を鉛直方向下側に移動する。より詳しくは、液体Ｒは、表示ユニット２の筐体２０の上面２０ａおよび背面２０ｂに沿って鉛直方向下側に移動する。または、液体Ｒは、読取ユニット３のサブパネル３０ａに沿って鉛直方向下側に移動する。
【００５６】
そして、液体Ｒは、読取部６の近傍に到達する。読取部６の左右方向の中央に到達した液体Ｒは、サブパネル３０ａより凹状に形成された扉操作用凹部６３に浸入する。図６に示すように、隙間Ｓ２の上端Ｓ２ａは、扉操作用凹部６３と接続している。このため、扉操作用凹部６３に浸入した液体Ｒは、隙間Ｓ２の上端Ｓ２ａから、隙間Ｓ２に浸入する。
【００５７】
隙間Ｓ２に浸入した液体Ｒは、隙間Ｓ２の断面積が小さいので、毛細管現象のように、隙間Ｓ２を鉛直方向下側に移動する。より詳しくは、液体Ｒは、読取部６の区画室６５を鉛直方向下側に移動する。または、液体Ｒは、庇部７３の係合突部７３ａに沿って鉛直方向下側に移動する。庇部７３の係合突部７３ａは、区画室６５の前面６５ａに当接している。このため、液体Ｒは、区画室６５に留められる。また、液体Ｒが、庇部７３の係合突部７３ａと区画室６５の前面６５ａとのわずかな隙間から鉛直方向下側に侵入したとしても、庇部７３とリブ６４とが入れ子状態となっているので、液体Ｒは、リブ６４の上側において区画室６５に留められる。ユーザは、液体Ｒが読取部６の区画室６５に留まっている間に、滴下した液体Ｒを拭き取る。
【００５８】
読取部６の右側または左側に到達した液体Ｒは、図７に示すように、庇部７３の右側部７３ｂが読取部６の右リブ６４Ｒの前面６４Ｒａに当接し、庇部７３の左側部７３ｃが読取部６の左リブ６４Ｌの前面６４Ｌａに当接しているので、浸入が規制される。また、液体Ｒが、庇部７３の右側部７３ｂと右リブ６４Ｒの前面６４Ｒａとのわずかな隙間、または、庇部７３の左側部７３ｃと左リブ６４Ｌの前面６４Ｌａとのわずかな隙間から鉛直方向下側に侵入したとしても、鉛直方向視で、右リブ６４Ｒおよび左リブ６４Ｌとメディアスロット６２とが重なって位置していない。このため、わずかな隙間から鉛直方向下側に侵入した液体Ｒが、メディアスロット６２に浸入するおそれは少ない。
【００５９】
このように、誤って電子機器１に滴下されてしまった液体Ｒが、読取部６の扉操作用凹部６３に到達した場合、液体Ｒを、読取部６の区画室６５に留まらせ、読取部６のメディアスロット６２に到達することが規制される。
【００６０】
上述したように、本実施形態は、例えば、飲料などの少量の液体Ｒが電子機器１に誤って滴下されてしまった場合、液体Ｒが読取部６のメディアスロット６２に到達することを規制することができる。より詳しくは、本実施形態は、誤って電子機器１に滴下されて読取部６の扉操作用凹部６３に浸入した液体Ｒを、読取部６の区画室６５に留まらせることができる。このように、本実施形態は、誤って電子機器１に滴下されてしまった液体Ｒが、読取部６のメディアスロット６２に到達することを規制することができる。
【００６１】
本実施形態によれば、庇部７３の右側部７３ｂが、読取部６の右リブ６４Ｒの前面６４Ｒａに当接し、庇部７３の左側部７３ｃが、読取部６の左リブ６４Ｌの前面６５ａに当接している。このため、本実施形態は、読取部６の右側または左側に到達した液体Ｒが浸入することを規制することができる。また、たとえ、液体Ｒが、庇部７３の右側部７３ｂと右リブ６４Ｒの前面６４Ｒａとのわずかな隙間、または、庇部７３の左側部７３ｃと左リブ６４Ｌの前面６４Ｌａとのわずかな隙間から鉛直方向下側に侵入したとしても、鉛直方向視で、右リブ６４Ｒおよび左リブ６４Ｌとメディアスロット６２とが重なって位置していない。このため、本実施形態は、誤って電子機器１に滴下されてしまった液体Ｒが、読取部６のメディアスロット６２に到達することを規制することができる。
【００６２】
これに対して、図８ないし図１０を用いて、従来の電子機器について説明する。図８は、従来の電子機器の読取部と開閉扉とを示す斜視図である。図９は、従来の電子機器の読取部と開閉扉とを説明する部分断面図である。図１０は、従来の電子機器の読取部と開閉扉とを説明する部分拡大断面図である。開閉扉１７０は、開閉体１７１が庇部を有していない。読取部１６０は、リブと区画室とを有していない。このため、開閉体１７１が閉じた状態で、庇部が区画室に収容され、入れ子状態となることもない。読取部１６０の扉操作用凹部１６３に浸入した液体Ｒは、上端Ｓ３ａから隙間Ｓ３に浸入する。隙間Ｓ３に浸入した液体Ｒは、液体Ｒを留められる場所がないため、そのままメディアスロット１６２に到達してしまう。このようにして、液体Ｒがメディアスロット１６２の内部に浸入すると、電子機器の基板が液体Ｒで濡れ、電子機器が動作不良を起こすおそれがある。
【００６３】
本実施形態によれば、鉛直方向視で、扉操作用凹部６３は、メディアスロット６２の少なくとも一部と重なって位置している。言い換えると、メディアスロット６２の少なくとも一部の鉛直方向上側にかかって、扉操作用凹部６３が配置されている。本実施形態は、誤って電子機器１に滴下され扉操作用凹部６３に浸入した液体Ｒを、区画室６５に留まらせることができる。このように、本実施形態は、誤って電子機器１に滴下されてしまった液体Ｒが、読取部６のメディアスロット６２に到達することを規制することができる。
【００６４】
本実施形態によれば、開閉扉７が庇部７３を有しているので、開閉体７１が閉じた状態で、図６、図７に示すように、隙間Ｓ２の上端Ｓ２ａが狭められている。このように、本実施形態は、図１０に示すような、従来の電子機器に比べて、隙間Ｓ２の上端Ｓ２ａが狭められているので、液体Ｒの浸入を抑制することができる。
【００６５】
本実施形態によれば、開閉体７１が閉じた状態で、庇部７３とリブ６４とが入れ子状態となっている。このため、本実施形態は、液体Ｒが庇部７３の係合突部７３ａと区画室６５の前面６５ａとのわずかな隙間から鉛直方向下側に侵入したとしても、液体Ｒを、リブ６４の上側において区画室６５に留めることができる。このようにして、本実施形態は、誤って電子機器１に滴下されてしまった液体Ｒを、読取部６の区画室６５に留まらせ、読取部６のメディアスロット６２に到達することを規制することができる。
【００６６】
しかも、本実施形態によれば、読取部６のメディアスロット６２への液体Ｒの浸入を規制しながら、扉操作用凹部６３と庇部７３の係合突部７３ａとにより、開閉扉７の開閉操作の操作性をよくすることができる。
【００６７】
さて、これまで本発明に係る電子機器１について説明したが、上述した実施形態以外にも種々の異なる形態にて実施されてよいものである。区画室６５の構成は、一例であり、これに限定されるものではない。区画室６５および係合突部７３ａは、左右方向の全長に亘って形成されていてもよい。このように構成することで、より多くの液体Ｒを、区画室６５に留まらせることができる。
【００６８】
読取部６のメディアスロット６２の配置は上記で説明した配置に限定されず、例えば、凹部６１に左右方向に並んで複数が配置されていてもよい。
【符号の説明】
【００６９】
１        電子機器
２        表示ユニット
２０      筐体
２１      ディスプレイパネル
３        読取ユニット（電子機器用読取ユニット）
３０      筐体
３０ａ    サブパネル（操作面）
５        止水構造（電子機器用止水構造）
６        読取部
６１      凹部
６１ａ    壁面
６２      メディアスロット（開口）
６３      扉操作用凹部
６４      リブ（突出部）
６５      区画室
７        開閉扉
７１      開閉体
７２      回動軸
７３      庇部
７３ａ    係合突部
７３ｂ    右側部
７３ｃ    左側部
【図１】
2018018974.tif 000003
【図２】
2018018974.tif 000004
【図３】
2018018974.tif 000005
【図４】
2018018974.tif 000006
【図５】
2018018974.tif 000007
【図６】
2018018974.tif 000008
【図７】
2018018974.tif 000009
【図８】
2018018974.tif 000010
【図９】
2018018974.tif 000011
【図１０】
2018018974.tif 000012